(57)【要約】【課題】コンピュータプログラムを用いて、人物評価における評価対象者に対する正確な評価が可能な人物評価プログラムを提供し併せて、記録媒体および人物評価サーバを提供する。【解決手段】外部から通信可能なサーバ２に人物評価プログラム１を記録しており、人物評価プログラム１は、ＩＤ（identification）認証／振り分け部１１（１１ａ、１１ｂ）と、自己評価情報（数値）記録部１２と、自己評価情報（偏差値）記録部１３と、他者評価情報（数値）記録部１４と、他者評価情報（偏差値）記録部１５と、メイン記録／出力部１６と、最終評価（数値）調整／記録部１７と、最終評価（偏差値）記録部１８と、を備えている。【選択図】図１
2016212625.tif 000002
【特許請求の範囲】
【請求項１】
電子計算機にインストールされて、
前記電子計算機に、
評価対象者自身が入力した自己評価情報を数値化して記録する機能と、
前記評価対象者の評価者が入力した、同評価対象者に対する他者評価情報を数値化して記録する機能と、
前記数値化された自己評価情報を偏差値化して記録する機能と、
前記他者評価情報が記録された前記評価者の中から、重要評価者を選出して同重要評価者の評価影響力を高めると共に、低影響評価者を選出して同低影響評価者の評価影響力を低め、記録された前記他者評価情報の数値を再計算して行われる、同他者評価情報を偏差値化して記録する機能と、
前記偏差値化された自己評価情報と、前記偏差値化された他者評価情報とを対比可能に出力する機能とを付与する
人物評価プログラム。
【請求項２】
前記偏差値化された自己評価情報と、前記偏差値化された他者評価情報とを対比可能に出力する前記機能により出力された情報に基づいて行われる、前記評価対象者を最終評価するユーザの最終評価を入力し、同最終評価を加味した評価情報を偏差値化して記録する機能を付与する
請求項１記載の人物評価プログラム。
【請求項３】
前記最終評価を加味した評価情報を偏差値化して記録する機能により記録された数値に基づき、前記評価対象者を総合的にランキング付けする機能を付与する
請求項２記載の人物評価プログラム。
【請求項４】
前記最終評価を加味した評価情報を偏差値化して記録する機能により記録された数値に基づき、前記評価対象者を評価部門毎にランキング付けする機能を付与する
請求項２記載の人物評価プログラム。
【請求項５】
前記評価対象者を最終評価するユーザの最終評価を入力する際に、所属部門毎に評価点の数値を加減可能な機能を付与する
請求項２、請求項３または請求項４記載の人物評価プログラム。
【請求項６】
前記重要評価者の評価影響力を高めるための評価項目について、前記評価対象者を最終評価するユーザが項目を追加あるいは減少させる設定が可能な機能を付与する
請求項１、請求項２、請求項３、請求項４または請求項５記載の人物評価プログラム。
【請求項７】
前記評価対象者と前記評価者に異なる識別符号が付与されると共に、該識別符号が前記人物評価プログラムに記録されており、前記人物評価プログラムにアクセスして同識別符号を入力すると、認識した識別符号に基づいて、同評価対象者は自己評価情報の入力画面に誘導され、同評価者は他者評価情報の入力画面に誘導される機能を付与する
請求項１、請求項２、請求項３、請求項４、請求項５または請求項６記載の人物評価プログラム。
【請求項８】
電子計算機に、
評価対象者自身が入力した自己評価情報を数値化して記録する機能と、
前記評価対象者の評価者が入力した、同評価対象者に対する他者評価情報を数値化して記録する機能と、
前記数値化された自己評価情報を偏差値化して記録する機能と、
前記他者評価情報が記録された前記評価者の中から、重要評価者を選出して同重要評価者の評価影響力を高めると共に、低影響評価者を選出して同低影響評価者の評価影響力を低め、記録された前記他者評価情報の数値を再計算して行われる、同他者評価情報を偏差値化して記録する機能と、
前記偏差値化された自己評価情報と、前記偏差値化された他者評価情報とを対比可能に出力する機能とを付与する人物評価が記録された電子計算機読み取り可能な
記録媒体。
【請求項９】
通信可能なサーバに、
評価対象者自身が入力した自己評価情報を数値化して記録する機能と、
前記評価対象者の評価者が入力した、同評価対象者に対する他者評価情報を数値化して記録する機能と、
前記数値化された自己評価情報を偏差値化して記録する機能と、
前記他者評価情報が記録された前記評価者の中から、重要評価者を選出して同重要評価者の評価影響力を高めると共に、低影響評価者を選出して同低影響評価者の評価影響力を低め、記録された前記他者評価情報の数値を再計算して行われる、同他者評価情報を偏差値化して記録する機能と、
前記偏差値化された自己評価情報と、前記偏差値化された他者評価情報とを対比可能に出力する機能とを付与する人物評価が記録された電子計算機読み取り可能な
人物評価サーバ。
【発明の詳細な説明】
【技術分野】
【０００１】
本発明は、人物評価プログラム、記録媒体および人物評価サーバに関する。
更に詳しくは、コンピュータプログラムを用いて、人物評価における評価対象者に対する多面的評価方法（以下「３６０度評価」と称する）が可能なものに関する。
【背景技術】
【０００２】
人事考課等の人物評価方法の一つとして、３６０度評価という手法がある。３６０度評価は、評価対象となる人物をあらゆる角度の人物（上司、同僚、部下等）が評価する方法であり、直属の上司のみが部下を評価する場合、評価結果が評価者の先入観や価値観に影響される恐れがあるという弊害を回避し、直属の上司のみならず、同僚や部下、他部門の関係者等が多面的に評価を行うというものである。現在、多くの企業で導入されている評価方式であり、人事考課だけでなく人材育成や組織活性化等にも活用されている。
【先行技術文献】
【非特許文献】
【０００３】
【非特許文献１】コトバンク  グロービスのMBA経営辞書の解説  ３６０度評価インターネット＜URL：https://kotobank.jp/word/360%E5%BA%A6%E8%A9%95%E4%BE%A1-785005＞
【発明の概要】
【発明が解決しようとする課題】
【０００４】
しかしながら、上記非特許文献１に記載されているような従来の３６０度評価方法の場合、自己評価と他者評価の差（他者評価は平均値）で結果表示されるものであるため、例えば、評価結果２．５と２．６の差と、３．５と３．６の差が同等となるといった、不条理な状況が生じうる。
【０００５】
また、他者評価の評価結果がダイレクトに評価となるため、評価が甘い部署に属する者と比較して評価が厳しい部署に属する者が著しく不利であり、加えて、個人的感情で極端な低評価または高評価を付ける者がいた場合、その評価に引き摺られる形で、平均値が低下するか、あるいは、能力以上の平均値を得るおそれもある。
【０００６】
本発明は、以上の点を鑑みて創案されたものであり、コンピュータプログラムを用いて、人物評価における評価対象者に対する正確な評価が可能な人物評価プログラムを提供することを目的とするものであり、併せて、記録媒体および人物評価サーバを提供することも目的とする。
【課題を解決するための手段】
【０００７】
上記の目的を達成するために本発明の人物評価プログラムは、電子計算機にインストールされて、前記電子計算機に、評価対象者自身が入力した自己評価情報を数値化して記録する機能と、前記評価対象者の評価者が入力した、同評価対象者に対する他者評価情報を数値化して記録する機能と、前記数値化された自己評価情報を偏差値化して記録する機能と、前記他者評価情報が記録された前記評価者の中から、重要評価者を選出して同重要評価者の評価影響力を高めると共に、低影響評価者を選出して同低影響評価者の評価影響力を低め、記録された前記他者評価情報の数値を再計算して行われる、同他者評価情報を偏差値化して記録する機能と、前記偏差値化された自己評価情報と、前記偏差値化された他者評価情報とを対比可能に出力する機能とを付与する。
【０００８】
ここで、本発明の人物評価プログラムを使用することにより、評価対象者に対する他者評価情報を入力し記録された各評価者の中から、重要評価者が選出されて重要評価者の評価影響力を高めると共に、低影響評価者が選出されて低影響評価者の評価影響力を低め、記録された他者評価情報の数値を再計算して行われ、偏差値化した他者評価情報が得られる。この他者評価情報は、極端な低評価または高評価を付ける者が排除されたものであるため、人物評価における評価対象者に対する正確な評価が得られる。
【０００９】
なお、本明細書および本特許請求の範囲において、「評価者」としては、同部門の上司、同僚、部下が挙げられるが、これに限定するものではなく、例えば、他部門の関係者、取引先等の評価対象者と関係がある者まで含むことを除外するものではない。
【００１０】
前記偏差値化された自己評価情報と、前記偏差値化された他者評価情報とを対比可能に出力する前記機能により出力された情報に基づいて行われる、前記評価対象者を最終評価するユーザの最終評価を入力し、同最終評価を加味した評価情報を偏差値化して記録する機能を付与するものである場合は、最終評価するユーザが、出力された自己評価情報と他者評価情報に基づいて最終評価を行い、その最終評価をプログラムに入力することで、最終評価を加味した評価情報が偏差値化されて記録される。
【００１１】
前記最終評価を加味した評価情報を偏差値化して記録する機能により記録された数値に基づき、前記評価対象者を総合的にランキング付けする機能を付与するものである場合は、全体において評価対象者の位置づけが更に直感的に理解しやすくなる。
【００１２】
前記最終評価を加味した評価情報を偏差値化して記録する機能により記録された数値に基づき、前記評価対象者を評価部門毎にランキング付けする機能を付与するものである場合は、評価部門毎における評価対象者の位置づけが更に直感的に理解しやすくなる。
【００１３】
前記評価対象者を最終評価するユーザの最終評価を入力する際に、所属部門毎に評価点の数値を加減可能な機能を付与するものである場合は、事務等の評価情報の数値が伸びにくい部門であっても、最終評価において、数値を加減し、調整する。
【００１４】
前記重要評価者の評価影響力を高めるための評価項目について、前記評価対象者を最終評価するユーザが項目を追加あるいは減少させる設定が可能な機能を付与するものである場合は、通常業務で数値に表れにくい点等を評価情報として加味し、最終評価において調整する。
【００１５】
前記評価対象者と前記評価者に異なる識別符号が付与されると共に、該識別符号が前記人物評価プログラムに記録されており、前記人物評価プログラムにアクセスして同識別符号を入力すると、認識した識別符号に基づいて、同評価対象者は自己評価情報の入力画面に誘導され、同評価者は他者評価情報の入力画面に誘導される機能を付与するものである場合、人物評価プログラムにアクセスして識別符号を入力すれば、評価対象者は自己評価情報の入力画面に誘導され、評価者は他者評価情報の入力画面に誘導される。
【００１６】
上記の目的を達成するために本発明の記録媒体は、電子計算機に、評価対象者自身が入力した自己評価情報を数値化して記録する機能と、前記評価対象者の評価者が入力した、同評価対象者に対する他者評価情報を数値化して記録する機能と、前記数値化された自己評価情報を偏差値化して記録する機能と、前記他者評価情報が記録された前記評価者の中から、重要評価者を選出して同重要評価者の評価影響力を高めると共に、低影響評価者を選出して同低影響評価者の評価影響力を低め、記録された前記他者評価情報の数値を再計算して行われる、同他者評価情報を偏差値化して記録する機能と、前記偏差値化された自己評価情報と、前記偏差値化された他者評価情報とを対比可能に出力する機能とを付与する人物評価プログラムが記録された電子計算機読み取り可能なものである。
【００１７】
ここで、本発明の記録媒体は、記録された人物評価プログラムが電子計算機に読み取られることにより使用され、評価対象者に対する他者評価情報を入力し記録された各評価者の中から、重要評価者が選出されて重要評価者の評価影響力を高めると共に、低影響評価者が選出されて低影響評価者の評価影響力を低め、記録された他者評価情報の数値を再計算して行われ、偏差値化した他者評価情報が得られる。この他者評価情報は、極端な低評価または高評価を付ける者が排除されたものであるため、人物評価における評価対象者に対する正確な評価が得られる。
【００１８】
また、偏差値化された自己評価情報と、偏差値化された他者評価情報とを対比可能に出力されることにより、自他の評価情報を参照して今後の目標の指針とすることができ、また、他者評価情報が偏差値化されていることで直感的に理解しやすい。
【００１９】
上記の目的を達成するために本発明の人物評価サーバは、通信可能なサーバに、評価対象者自身が入力した自己評価情報を数値化して記録する機能と、前記評価対象者の評価者が入力した、同評価対象者に対する他者評価情報を数値化して記録する機能と、前記数値化された自己評価情報を偏差値化して記録する機能と、前記評価者の中から、重要評価者を選出して同重要評価者の評価影響力を高めると共に、低影響評価者を選出して同低影響評価者の評価影響力を低め、記録された前記他者評価情報の数値を再計算して行われる、同他者評価情報を偏差値化して記録する機能と、前記偏差値化された自己評価情報と、前記偏差値化された他者評価情報とを対比可能に出力する機能とを付与する人物評価プログラムが記録された電子計算機読み取り可能なものである。
【００２０】
ここで、本発明の人物評価サーバを使用することにより、評価対象者に対する他者評価情報を入力し記録された各評価者の中から、重要評価者が選出されて重要評価者の評価影響力を高めると共に、低影響評価者が選出されて低影響評価者の評価影響力を低め、記録された他者評価情報の数値を再計算して行われ、偏差値化した他者評価情報が得られる。この他者評価情報は、極端な低評価または高評価を付ける者が排除されたものであるため、人物評価における評価対象者に対する正確な評価が得られる。また、本発明の人物評価サーバは通信可能であるため、インターネットを介しても利用される。
【発明の効果】
【００２１】
本発明による人物評価プログラムによれば、人物評価における評価対象者に対する正確な評価を、コンピュータプログラムを用いて行うことが可能となる。
本発明による記録媒体によれば、人物評価における評価対象者に対する正確な評価を、記録媒体に記録されたコンピュータプログラムを用いて行うことが可能となる。
本発明による人物評価サーバによれば、人物評価における評価対象者に対する正確な評価を、サーバに記録されたコンピュータプログラムを用いて行うことが可能となる。
【図面の簡単な説明】
【００２２】
【図１】本発明の人物評価プログラムを適用したサーバの構造の一例を説明する概略ブロック図である。
【図２】図１に示す人物評価プログラムへの自己評価情報および他者評価情報の入力処理の流れの説明する概略フロー図である。
【図３】図１に示す人物評価プログラムへの最終評価情報の入力処理の流れの説明する概略フロー図である。
【図４】図１に示す人物評価プログラムの処理の流れの説明する概略フロー図である。
【図５】図１に示す人物評価プログラムにより出力された他者評価ランキングの一例を説明する概略図である。
【発明を実施するための形態】
【００２３】
図１ないし図５を参照して、本発明の実施の形態を更に詳細に説明する。なお、各図における符号は、煩雑さを軽減し理解を容易にする範囲内で付している。
【００２４】
図１では、外部から通信可能なサーバ２に、人物評価プログラム１を記録した構造の一例を示している。
人物評価プログラム１は、ＩＤ（identification）認証／振り分け部１１（１１ａ、１１ｂ）と、自己評価情報（数値）記録部１２と、自己評価情報（偏差値）記録部１３と、他者評価情報（数値）記録部１４と、他者評価情報（偏差値）記録部１５と、メイン記録／出力部１６と、最終評価（数値）調整／記録部１７と、最終評価（偏差値）記録部１８と、を備えている。
【００２５】
なお、本実施の形態において、「自己評価情報（数値）記録部１２」は先に述べた「評価対象者自身が入力した自己評価情報を数値化して記録する機能」と、「他者評価情報（数値）記録部１４」は先に述べた「評価対象者の評価者が入力した、評価対象者に対する他者評価情報を数値化して記録する機能」と、「自己評価情報（偏差値）記録部１３」は先に述べた「数値化された自己評価情報を偏差値化して記録する機能」と、「他者評価情報（偏差値）記録部１５」は、先に述べた「前記他者評価情報が記録された評価者の中から、重要評価者を選出して重要評価者の評価影響力を高めると共に、低影響評価者を選出して低影響評価者の評価影響力を低め、記録された他者評価情報の数値を再計算して行われる、他者評価情報を偏差値化して記録する機能」と、「ＩＤ認証／振り分け部１１（１１ａ、１１ｂ）」は先に述べた「評価対象者と評価者に異なる識別符号が付与されると共に、識別符号が人物評価プログラムに記録されており、人物評価プログラムにアクセスして識別符号を入力すると、認識した識別符号に基づいて、評価対象者は自己評価情報の入力画面に誘導され、評価者は他者評価情報の入力画面に誘導される機能」と、それぞれ対応するものである。
【００２６】
また、「最終評価（数値）調整／記録部１７」と「最終評価（偏差値）記録部１８」は先に述べた「偏差値化された自己評価情報と、偏差値化された他者評価情報とを対比可能に出力する機能により出力された情報に基づいて行われる、評価対象者を最終評価するユーザの最終評価を入力し、最終評価を加味した評価情報を偏差値化して記録する機能」と、「メイン記録／出力部」は先に述べた「偏差値化された自己評価情報と、偏差値化された他者評価情報とを対比可能に出力する機能」、「最終評価を加味した評価情報を偏差値化して記録する機能により記録された数値に基づき、評価対象者を総合的にランキング付けする機能」および「最終評価を加味した評価情報を偏差値化して記録する機能により記録された数値に基づき、評価対象者を評価部門毎にランキング付けする機能」と、それぞれ対応するものである。
【００２７】
（自己評価情報の入力および記録）
図１、図２及び図４を参照して、自己評価情報の入力および記録の流れを説明する。
（１）評価対象者Ｐ１が電子計算機を使用し、サーバ２に格納された人物評価プログラム１に、アクセスする（図２のステップＳ１）。
【００２８】
（２）評価対象者Ｐ１に割り当てられたＩＤ情報（ログインＩＤ）を、電子計算機に表示されたユーザインターフェイスを通じて入力する（図２のステップＳ２）。
なお、ログインＩＤについては、その種類および数は適宜設定することができ、例えば、会社ＩＤ、ユーザＩＤ、パスワードの３種類を組み合わせたものであってもよいし、会社ＩＤとパスワード、ユーザＩＤとパスワード等であってもよい（本明細書中において以下同じ）。
【００２９】
（３）ＩＤ認証／振り分け部１１において、予め記録されたＩＤ情報と入力されたＩＤの照会がなされ、登録済みかつ正規なＩＤであれば、評価対象者のための入力画面へログインできる。なお、未登録または不正なＩＤであれば、ログインを拒み、再度の入力を促す（図２のステップＳ３）。
【００３０】
（４）評価対象者Ｐ１は、インターフェイスに表示された項目に入力または選択を行う（図２のステップＳ４）。
【００３１】
（５）全ての項目の入力または選択を終えると、入力内容の確認画面が表示され、確認画面を閲覧した評価対象者Ｐ１が内容に同意する場合は後述するステップＳ６へ進み、修正を行う場合は、ステップＳ４へ戻る（図２のステップＳ５）。なお、入力内容の確認画面の表示については、省略したものとしてもよい（後述する図２のステップＳ５、図３のステップＳ１２、図４のステップＳ２６の説明において以下同じ）。
【００３２】
（６）ログアウトを行い、入力作業が完了する（図２のステップＳ６）。なお、ログアウトは、入力作業完了後に自動で行われるようにしたものであってもよい（後述する図２のステップＳ６、図３のステップＳ１４、図４のステップＳ２８、図５のステップＳ３３の説明において以下同じ）。
【００３３】
入力作業後（図４のステップＳ１５）、自己評価情報は数値化されて、自己評価情報（数値）記録部１２に記録される共に、同数値は自己評価情報（偏差値）記録部１３へ送られる（図４のステップＳ１６）。送られた数値は、自己評価情報（偏差値）記録部１３において偏差値化される（図４のステップＳ１７）と共に、同偏差値は自己評価情報（偏差値）記録部１３に記録され（図４のステップＳ１８）、メイン記録／出力部１６に記録される。
【００３４】
（他者評価情報の入力および記録）
図１、図２および図４を参照して、他者評価情報の入力および記録の流れを説明する。
（１）評価者Ｐ２、Ｐ３が電子計算機を使用し、サーバ２に格納された人物評価プログラム１に、アクセスする（図２のステップＳ１）。
【００３５】
（２）評価者Ｐ２、Ｐ３に割り当てられたＩＤ情報（ログインＩＤ）を、電子計算機に表示されたユーザインターフェイスを通じて入力する（図２のステップＳ２）。
【００３６】
（３）ＩＤ認証／振り分け部１１ａにおいて、予め記録されたＩＤ情報と入力されたＩＤの照会がなされ、登録済みかつ正規なＩＤであれば、評価者のための入力画面へログインできる。なお、未登録または不正なＩＤであれば、ログインを拒み、再度の入力を促す（図２のステップＳ３）。
【００３７】
（４）評価者Ｐ２、Ｐ３は、インターフェイスに表示された項目に入力または選択を行う（図２のステップＳ４）。
【００３８】
（５）全ての項目の入力または選択を終えると、入力内容の確認画面が表示され、確認画面を閲覧した評価者Ｐ２、Ｐ３が内容に同意する場合は後述するステップＳ６へ進み、修正を行う場合は、ステップＳ４へ戻る（図２のステップＳ５）。
【００３９】
（６）ログアウトとなり、入力作業が完了する（図２のステップＳ６）。
【００４０】
入力作業後（図４のステップＳ１９）、他者評価情報は数値化されて、他者評価情報（数値）記録部１４に記録される共に、同数値は他者評価情報（偏差値）記録部１５へ送られる（図４のステップＳ２０）。送られた数値は、他者評価情報（偏差値）記録部１５において偏差値化される（図４のステップＳ２１）と共に、同偏差値は他者評価情報（偏差値）記録部１５に記録され（図４のステップＳ２２）、メイン記録／出力部１６に記録される。
【００４１】
この他者評価情報（偏差値）記録部１５においては、入力した数値が記録された複数の評価者の中から、重要評価者が選出されて重要評価者の評価影響力を高めると共に、低影響評価者が選出されて低影響評価者の評価影響力を低め、記録された他者評価情報の数値を再計算して行われる。この結果、正確で、偏差値化した他者評価情報（評価）が得られる。
【００４２】
ここで、「重要評価者」とは、業務部門毎のエキスパート等が該当し、エキスパートに評価されるということは、その業務において付けられた点数（数値）の信頼度の高さが担保されることとなる。また、重要評価者については、プログラムにより自動で選出される態様のほか、予めユーザ側でプログラムに入力（設定）しておくこともできる。なお、評価影響力は査定における「重み付け」とも換言できる。
【００４３】
（最終評価情報の入力および記録）
図１、図３および図４を参照して、最終評価情報の入力および記録の流れを説明する。
（１）最終評価者Ｐ４が電子計算機を使用し、サーバ２に格納された人物評価プログラム１に、アクセスする（図３のステップＳ７）。
【００４４】
（２）最終評価者Ｐ４に割り当てられたＩＤ情報（ログインＩＤ）を、電子計算機に表示されたユーザインターフェイスを通じて入力する（図３のステップＳ８）。
【００４５】
（３）ＩＤ認証／振り分け部１１ｂにおいて、予め記録されたＩＤ情報と入力されたＩＤの照会がなされ、登録済みかつ正規なＩＤであれば、最終評価者のための入力画面へログインできる。なお、未登録または不正なＩＤであれば、ログインを拒み、再度の入力を促す（図３のステップＳ９）。
【００４６】
（４）最終評価者Ｐ４は、メイン記録／出力部１６から出力された自己評価情報、他者評価情報を閲覧する（図３のステップＳ１０、図４のステップＳ２３）。
【００４７】
（５）最終評価者Ｐ４は、自己評価情報および他者評価情報について検討して最終評価を行い、最終評価（数値）調整／記録部１７に数値を入力する（図３のステップＳ１１、図４のステップＳ２４）。入力された同数値は、最終評価（数値）調整／記録部１７に記録されると共に、最終評価（偏差値）記録部１８へ送られて偏差値化され、記録される（図４のステップＳ２５）。
【００４８】
（６）入力内容の確認画面が表示され、確認画面を閲覧した最終評価者Ｐ４が内容に同意する場合は後述するステップＳ１４へ進み、修正を行う場合は、ステップＳ１１へ戻る（図３のステップＳ１２、図４のステップＳ２６）。
【００４９】
（７）最終評価が確定され、最終評価の内容がメイン記録／出力部１６に記録される（図３のステップＳ１３、図４のステップＳ２７）。また、最終評価情報として記録された数値（偏差値化する前の数値）をもとにランキング表が作成され、メイン記録／出力部１６に記録されて、表示可能となる。ランキング表が表示される際には偏差値も表示されるため、単なる順位ではなく、個々の差が明確に把握できる。また、ランキング表は、各評価対象者を総合的に表示するのみならず、評価部門毎に表示することができるようにしてもよい。
【００５０】
評価の一例として、インターフェイス上に表示される「業務効率力における他者ランキング」を図５に示す。なお、ここでは、偏差値が数値で、他者評価がアルファベットを用いたランクが表示されているが、これに限定するものではなく、例えば、比較用として自己評価についても併記されていてもよい。
【００５１】
（８）ログアウトとなり、作業が完了する（図３のステップＳ１４、図４のステップＳ２８）。
【００５２】
本実施の形態において、ＩＤ認証／振り分け部は、理解の容易のために３つ（符号１１、１１ａ、１１ｂ）に分けて記載しているが、これに限定するものではなく、例えば、１つのＩＤ認証／振り分け部において、評価対象者、評価者、最終評価者を識別（ＩＤ認証／振り分け）する機能を持たせたものであってもよい。
【００５３】
本実施の形態において、自己評価部門の機能について、自己評価情報（数値）記録部１２と自己評価情報（偏差値）記録部１３とを分けているが、これに限定するものではなく、例えば、自己評価情報（数値）記録部１２と自己評価情報（偏差値）記録部１３が一体化したものであってもよい。同様に、他者評価部門の機能について、他者評価情報（数値）記録部１４と他者評価情報（偏差値）記録部１５が一体化したものであってもよい。
【００５４】
上記の通り、人物評価プログラム１は、他者評価情報について、入力し数値が記録された複数の評価者の中から、選出された重要評価者が評価影響力を高められ、かつ、選出された低影響評価者の評価影響力を低め、記録された他者評価情報の数値を再計算して偏差値化されたものが得られるため、極端な低評価を付ける者等が排除され、人物評価における評価対象者に対する正確な評価が得られる。
【００５５】
また、偏差値化された自己評価情報と、偏差値化された他者評価情報とを対比可能に出力され、かつ、他者評価情報が３６０度評価法でなされたものであるため、客観的かつ正確性の高い自他の評価情報を参照して今後の目標の指針とすることができ、また、他者評価情報が偏差値化されていることで直感的に理解しやすい。
【００５６】
入力された自己評価情報と他者評価情報について、更に最終評価者（最終評価するユーザ）の最終評価を入力し、同最終評価を加味した評価情報を偏差値化したものが最終評価となるため、評価対象者が例えば、事務部門や、現在進行中のプロジェクト（結果が出ていないか、評価がしにくい）等、評価情報の数値が伸びにくい部門の所属等であっても、正確な評価が可能となる。
【００５７】
同様に、このような部門については、予め、重要評価者の評価影響力を高めるための評価項目を、最終評価者が項目を追加あるいは減少させる設定が可能な機能を利用することにより、最初に偏差値化される時点で他者評価情報が調整されるようにしておいてもよい。
【００５８】
評価対象者が、ランキング付け、ランク表示されることで、全体において、または、部門毎において、評価対象者の位置づけが更に直感的に理解しやすくなる。
【００５９】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００６０】
１    人物評価プログラム
１１、１１ａ、１１ｂ    ＩＤ認証／振り分け部
１２    自己評価情報（数値）記録部
１３    自己評価情報（偏差値）記録部
１４    他者評価情報（数値）記録部
１５    他者評価情報（偏差値）記録部
１６    メイン記録／出力部
１７    最終評価（数値）調整／記録部
１８    最終評価（偏差値）記録部
２    サーバ
Ｐ１    評価対象者
Ｐ２、Ｐ３    評価者
Ｐ４    最終評価者
Ｓ１、Ｓ２、Ｓ３、Ｓ４、Ｓ５、Ｓ６、Ｓ７、Ｓ８、Ｓ９、Ｓ１０、Ｓ１１、Ｓ１２、Ｓ１３、Ｓ１４、Ｓ１５、Ｓ１６、Ｓ１７、Ｓ１８、Ｓ１９、Ｓ２０、Ｓ２１、Ｓ２２、Ｓ２３、Ｓ２４、Ｓ２５、Ｓ２６、Ｓ２７、Ｓ２８    ステップ
【図１】
2016212625.tif 000003
【図２】
2016212625.tif 000004
【図３】
2016212625.tif 000005
【図４】
2016212625.tif 000006
【図５】
2016212625.tif 000007